(57)【要約】【課題】小魚等の小さく細かいものを収容してもボリューム感を出すことができ、さらに、容器を移動などさせた際にも収容物を動きにくくした包装用容器を提供する。【解決手段】包装用容器１は、底面１２の一部をアーチ状に膨らませ、表面に複数の凸条部６を有する膨出部２と、前記膨出部２を囲うように底面１２から立ち上がる周壁面部３と、を備えたことを特徴とし、底面１２には、並行状の筋状凸部４又は複数の突起部を形成することが好ましい。【選択図】図１
2018076083.tif 000002
【特許請求の範囲】
【請求項１】
底面の一部をアーチ状に膨らませ、表面に複数の凸条部又は凹溝部を有する膨出部と、前記膨出部を囲うように前記底面から立ち上がる周壁面部と、を備えた包装用容器。
【請求項２】
前記底面に、複数の突起部又は並行状の筋状凸部を備えた請求項１に記載の包装用容器。
【請求項３】
前記周壁面部は、少なくとも１か所を凹ませて前記底面と略同じ高さにした窪み部を備えた請求項１又は２に記載の包装用容器。
【請求項４】
前記周壁面部は平面視多角形状であり、前記窪み部を周壁面部の角部近傍に備えた請求項３に記載の包装用容器。
【請求項５】
前記窪み部の外側に、容器外側に向かい昇り傾斜する傾斜面部を備えた請求項３又は４に記載の包装用容器。
【発明の詳細な説明】
【技術分野】
【０００１】
本発明は、主に小魚や惣菜等を包装するのに適した合成樹脂シートからなる包装用容器に関する。
【背景技術】
【０００２】
小売店においては、ちりめんじゃこ、シラス、小エビ、肉そぼろ、煎り卵、漬物、珍味などを包装するために薄型扁平状の包装用容器が多く用いられている。
例えば、下記特許文献１に示されたような包装用容器が用いられ、小売店で陳列されている。このような容器を用いることにより、収容物を容器底面に広げることができるため、顧客は、傷みがないかなどを視認することができ、安全な商品を購入することができる。
【０００３】
【特許文献１】特開２００５−８２５４号公報
【発明の概要】
【発明が解決しようとする課題】
【０００４】
しかし、薄型扁平状の包装用容器は、平板状の底面に収容物が散逸されているため、収容物のボリューム感がなく、該包装用容器の収容物を一見した顧客は、収容量が少なく感じられ、購買意欲を削がれるおそれがある。
また、小魚等を収容した場合は、小魚等各々は小さなものであるため容器内で動きやすく、食品工場からの運搬時の振動や傾斜した陳列台に並べた際の傾きにより隅部などに片寄りやすいという問題があった。収容物の片寄りにより、容器底面が視認できてしまい、ボリューム感がさらに著しく欠け、商品としての訴求力を失ってしまうおそれがある。
さらに、小魚等は、各々が小さいだけでなく底面などに粘着してしまい箸では摘みにくく、容器から取り出すのに手間がかかり、食事の際に食べづらいものであった。
【０００５】
そこで、本発明の目的は、小魚等の小さく細かいものを収容してもボリューム感を出すことができ、さらに、容器を移動などさせた際にも収容物を動きにくくした包装用容器を提供することにある。
【課題を解決するための手段】
【０００６】
本発明の一形態の包装用容器は、底面の一部をアーチ状に膨らませ、表面に幅方向に沿う複数の凸条部又は溝凹部を有する膨出部と、前記膨出部を囲うように前記底面から立ち上がる周壁面部と、を備えたことを特徴とする。
【０００７】
上記形態の包装用容器は、底面に膨出部を設けることにより、収容物が盛り上がるようになるため目立ち、内容量があるように見え、ボリューム感を出すことができる。また、周壁面部を設けることにより、周壁面部の内側に収容物を集め、また、収容物が散逸するのを適度に防ぎ、内容量があるように見させられる。
【０００８】
上記形態の包装用容器は、前記底面に複数の突起部又は並行状の筋状凸部を備えることができる。
突起部又は筋状凸部を設けることにより、底面が凹凸状になり、持ち運びや持ち上げた際に収容物が動きにくく、収容物が容器内で片寄ることを防ぐことができる。さらに、底面が凹凸状であるため、収容物が粘着しにくくなり、箸などで摘みやすくなる。
【０００９】
上記実施形態の包装用容器は、前記周壁面部に少なくとも１か所を凹ませて前記底面と略同じ高さにした窪み部を備えることができる。
【００１０】
このような構成にすることにより、窪み部を箸先が通ることができるため、箸が周壁面部に引っ掛からず動きやすくすることができる。また、収容物が周壁面部に引っ掛かることなく周壁面部の外側へ箸などで掻き出すことができる。
【００１１】
上記実施形態の包装用容器は、前記周壁面部を平面視多角形状に形成し、前記窪み部を周壁面部の角部近傍に備えることができる。
【００１２】
このような構成にすることにより、収容物を箸などで周壁面部の角部に集めて窪み部から容器外側に掻き出しやすくなるため、お皿などに盛り付けやすくなる。
【００１３】
上記実施形態の包装用容器は、前記窪み部の外側に、外側に向かい昇り傾斜する傾斜面部を備えることができる。
【００１４】
このような構成にすることにより、収容物をお皿などに盛り付けるために包装用容器の外側に移す際、スロープの役割を果たすため盛り付け作業が容易になる。また、収容物が周壁面部を越えてしまうことがあったとしても、収容物が傾斜面部により中央付近に寄るため、収容物が周縁に散逸せず見映えをよくすることができる。
【図面の簡単な説明】
【００１５】
【図１】本発明の一実施形態の包装用容器の斜視図である。
【図２】図１の包装用容器の平面図である。
【図３】図２の中央線縦断面図である。
【発明を実施するための形態】
【００１６】
以下、本発明の包装用容器の一実施形態を、図面に基づいて説明する。
【００１７】
本発明の一実施形態の包装用容器１は、図１〜図３に示すように、膨出部２と、周壁面部３と、筋状凸部４と、を備える。
包装用容器１は、例えば、ちりめんじゃこ、シラス、小エビ、肉そぼろ、煎り卵、漬物、珍味、刻み葱など、小さく細かな食品を収容するのに適している。
包装用容器１は、本実施形態では、平面視横長長方形状としてあるが、これに限定されるものではなく、平面視円形状、平面視長円状や平面視六角形状などにすることもできる。
包装用容器１は、特に限定するものではないが、平面視において、縦５０ｍｍ〜２５０ｍｍ、横８０ｍｍ〜４００ｍｍの大きさ、特に縦８０ｍｍ〜１５０ｍｍ、横１３０ｍｍ〜２３０ｍｍの大きさに形成することができる。
【００１８】
包装用容器１は、蓋体（図示せず）を備えることができ、容器１の外縁に備えた嵌合部５に嵌合できるように形成してある。
包装用容器１は、薄型の扁平状に形成することが好ましく、厚みを５ｍｍ〜４０ｍｍ、特に１０ｍｍ〜３０ｍｍに形成することが好ましく、蓋体との嵌合状態での厚みは、７ｍｍ〜６０ｍｍ、特に１５ｍｍ〜４０ｍｍに形成することが好ましい。
また、包装用容器１は、蓋体を設けず、ラップフィルムなどで覆い包装したり、接着剤やヒートシールなどでトップシールして包装したりしてもよい。
【００１９】
包装用容器１は、例えば、シート厚０．１ｍｍ〜５ｍｍ、好ましくは０．２ｍｍ〜３ｍｍの合成樹脂シートを熱成形して製造することができる。合成樹脂シートとしては、発泡、非発泡を問わず、例えば、ポリエチレン系樹脂シートやポリプロピレン系樹脂シートなどのポリオレフィン系樹脂シート、ポリスチレン系樹脂シート、ポリエチレンテレフタレート系樹脂シートなどの熱可塑性樹脂シートを挙げることができる。また、フィルムをラミネートした発泡シートなど多層シートを用いることもできる。
【００２０】
熱成形としては、真空成形、圧空成形、真空圧空成形、熱板成形などを挙げることができる。
包装用容器１は、黒色や白色などの有色でもよいが、内部が視認できるように透明乃至半透明であることが好ましい。蓋体は内部を視認できるようにするため透明であることが好ましく、蓋体を透明、包装用容器１を白色にするなど両者が相違してもよい。
【００２１】
包装用容器１は、図１又は図２に示すように、内部を食品などが収容できる収容部１１とし、平板状の底面１２に長さ方向（図２の横方向）に沿いアーチ状に膨らむ膨出部２を並行状に２条形成してあり、膨出部２を囲うように横長長方形状の周壁面部３が形成してある。
【００２２】
膨出部２は、平面視において、長さ方向の中間付近がやや括れた形状としてあり、膨出部２の表面上（両側の側壁も含む）には、幅方向（図２の縦方向）に沿い突出させて形成した凸条部６がほぼ等間隔で並列して多数形成してあり、表面が凹凸状になるように形成してある。凸条部６の幅は、特に限定するものではないが、１ｍｍ〜５ｍｍ、特に２ｍｍ〜４ｍｍにするのが好ましい。また、各凸条部６の間隔は、特に限定するものではないが、１ｍｍ〜５ｍｍ、特に２ｍｍ〜４ｍｍにするのが好ましい。
本実施形態では、膨出部２を２条設けてあるが少なくとも１条設けてあればよい。また、膨出部２の表面に凸条部６を設けて凹凸状に形成してあるが、表面に凹溝部を設けて凹凸状に形成してもよい。凸条部６は、膨出部２の幅方向に沿うように形成されているが、これに限定されるものではなく、例えば、長さ方向に沿うように形成しても幅方向に対して斜めに形成してもよい。
【００２３】
周壁面部３は、図２に示すように、包装用容器１の外縁よりも一回り小さい平面視横長長方形枠状としてあり、底面１２から略垂直状に立ち上がる板状に形成してある。周壁面部３は、本実施形態では、長さ方向に沿う周壁面部３ａは一定の高さに形成し、膨出部２の幅方向に沿う周壁面部３ｂは、２つのアーチが連なるように形成され、周壁面部３ａは周壁面部３ｂよりも高く形成してある。
周壁面部３は、本実施形態では、平面視横長長方形枠状に形成してあるが、これに限定されるものではなく、平面視正方形状、六角形状などの平面視多角形状や円形状などに形成することができ、特に、平面視多角形状に形成することが好ましい。
周壁面部３ｂは、幅方向の両端側及び中間付近に底面１２と略同じ高さにし、容器１の内外方向に通じる窪み部３１が形成してある。ここでいう底面１２と略同じ高さとは、底面１２と高低差がない、つまり高低差０ｍｍであることが好ましいが、約±３ｍｍ程度の範囲内の高低差も含むこともできる。
【００２４】
窪み部３１は、本実施形態では、６ヶ所設けてあるが、これに限定されるものではなく、少なくとも１ヵ所設けてあればよい。
窪み部３１は、周壁面部３を平面視多角形状にした場合は、周壁面部３の角部３２の近傍に設けるのが好ましい。このようにすることにより、周壁面部３の角部３２に箸などで収容物を集め、窪み部３１から収容物を容器外側に掻き出しやすくなり、お皿などに盛り付けやすくなる。そのため、窪み部３１は、角部３２の外側面の頂点から周壁面部３沿いに２ｍｍ〜３０ｍｍの位置、特に５ｍｍ〜１０ｍｍの位置に設けるのが好ましい。
【００２５】
窪み部３１は、本実施形態では幅狭に形成してあるが、幅広に形成してもよく、特に限定するものではないが、０．１ｍｍ〜２０ｍｍ、０．５ｍｍ〜５ｍｍの幅に形成することができる。
周壁面部３の高さは、特に限定するものではないが、２ｍｍ〜３０ｍｍ、特に５ｍｍ〜１７ｍｍが好ましい。
本実施形態の如く、周壁面部３ａと周壁面部３ｂとの高さを相違させる場合は、周壁面部３ａの高さは、２ｍｍ〜３０ｍｍ、特に５ｍｍ〜１７ｍｍが好ましく、周壁面部３ｂの高さ（最大高さ）は、１ｍｍ〜２８ｍｍ、特に２ｍｍ〜１５ｍｍが好ましい。
【００２６】
底面１２には、周壁面部３の内側の膨出部２を除く箇所に筋状凸部４が形成してある。
筋状凸部４は、本実施形態では格子状に形成してあるが、これに限定されるものではなく、斜め格子状や並行状に形成してもよい。格子状に形成する場合は、２ｍｍ〜２０ｍｍ四方、特に４ｍｍ〜１６ｍｍ四方の格子状に形成するのが好ましい。また、筋条凸部４の幅は、特に限定するものではないが、０．５ｍｍ〜５ｍｍ、特に０．８ｍｍ〜３ｍｍにするのが好ましい。
【００２７】
本実施形態では、底面１２に筋状凸部４を設けてあるが、底面１２に複数の突起部を設けてもよい。この突起部は、特に限定するものではないが、円錐状、四角錐状、半球状などの形成することができ、等間隔で配列してもよく、ランダムに配列してもよい。
筋状凸部４又はこの突起部の高さは、特に限定するものではないが、０．５ｍｍ〜５ｍｍ、特に１ｍｍ〜３ｍｍに形成するのが好ましい。
【００２８】
容器１の四隅付近には、周壁面部３の外側に平面視略くの字状に凹ませた脚部７が形成してあり、また、各脚部７間には、容器１の外側に向かい昇り傾斜とした傾斜面部８が形成してある。
脚部７及び傾斜面部８の表面は、凹凸状に形成してあり、容器１の内外方向に伸びる凸条又は凹溝が交互に複数形成してある。
【００２９】
脚部７及び傾斜面部８の外側には、嵌合部５が形成してあり、蓋体を嵌合できるようにしてある。
蓋体は、本実施形態では、内外嵌合できるように形成してあるが、これに限定されるものではなく、内嵌合や外嵌合できるようにしてもよく、また、嵌合部５を設けず、容器１及び蓋体の外縁部分をフランジ状に形成し、蓋体を容器１に載せ置き、ステープラやセロハンテープなどで固定するようにしてもよい。
【００３０】
包装用容器１は、膨出部２を設けることにより、収容物が盛り上がるため目立ち、内容量があるように見え、ボリューム感を出すことができる。また、膨出部２の表面に凸条部６を設けることにより、表面が凹凸状になり、収容物が動きにくく、膨出部２から落下しにくくなる。
周壁面部３を設けることにより、その内側に収容物を集める、また、収容物が散逸するのを適度に防ぎ、内容量があるように見させられる。
【００３１】
筋状凸部４又は突起部を設けることにより、底面１２が凹凸状になり、収容物が動きにくく、持ち運びや持ち上げた際に収容物が容器１内で片寄ることを防ぐことができる。さらに、底面１２が凹凸状であるため、収容物が粘着しにくくなり、箸などで摘みやすくなる。
【００３２】
窪み部３１を設けることにより、箸先が周壁面部３に当たらず通すことができるため、収容物を周壁面部３に引っ掛かることなく掻き出すことができる。
【００３３】
傾斜面部８を設けることにより、収容物をお皿などに盛り付けるために容器外側に移す際、スロープの役割を果たすため盛り付け作業が容易になる。また、収容物が周壁面部３を越えてしまうことがあったとしても、収容物が傾斜面部８により容器の中央付近に寄るため、収容物が周縁に散逸せず見映えをよくすることができる。さらに、傾斜させてあるため、そこに収容物がこぼれ落ちたとしても深さがあるため、こぼれ落ちた量を少なく見せることができる。
【００３４】
また、筋状凸部４及び凸条部６は、リブとしての機能も有し、包装用容器１の剛性を高めることができる。
【００３５】
上記実施形態の構成態様は、本発明を限定するものとして挙げたものではなく、技術目的を共通にするかぎり変更は可能であり、本発明はそのような変更を含むものである。例えば、包装用容器と蓋体とをヒンジなどで一体的に形成した、いわゆるフードパックなども当然に含まれるものである。
【符号の説明】
【００３６】
１包装用容器
１１収容部
１２底面部
２膨出部
３（３ａ、３ｂ）  周壁面部
３１窪み部
３２角部
４筋条凸部
５嵌合部
６凸条部
７脚部
８傾斜面部
【図１】
2018076083.tif 000003
【図２】
2018076083.tif 000004
【図３】
2018076083.tif 000005